(57)【要約】【課題】本技術は、端子付き電線の端子を一時的に保護し、かつ、容易に取り外すことができる端子の保護部材及び保護部材付き配線部材に関する。【解決手段】端子の保護部材は、本体部１と、カバー部２とを備える。本体部１は、端子４ｂを収容可能に形成される。カバー部２は、本体部１に対して着脱可能に形成される。本体部１は、ガイド部１１と、筐体部１２とを備える。ガイド部１１は、端子４ｂを主面上の溝１１ａに沿って配置可能に形成される。筐体部１２は、ガイド部１１の主面に対する側面と連なって形成される。また、筐体部１２には、端子４ｂが収容されるキャビティ１２ａがガイド部１１の溝１１ａに連なって形成される。【選択図】図２
2016126870.tif 000002
【特許請求の範囲】
【請求項１】
電線の端部に接続された端子の保護部材であり、
前記端子を収容可能に形成される本体部と、
前記本体部に対して着脱可能に形成されるカバー部とを備え、
前記本体部は、
前記端子を主面上の溝に沿って配置可能に形成されるガイド部と、
前記ガイド部の前記主面に対する側面と連なって形成され、前記端子が収容されるキャビティが前記ガイド部の前記溝に連なって形成される筐体部とを備え、
前記カバー部は、前記端子の一部が前記キャビティに収容され、かつ、前記端子の他の部分が前記ガイド部の前記溝に沿って配置された状態で、前記ガイド部の前記主面に対して着脱可能に形成される、
端子の保護部材。
【請求項２】
前記カバー部は、前記ガイド部の前記主面に被せられる側の面において突起形状である抜け止め部を有し、
前記抜け止め部は、前記カバー部が前記ガイド部の前記主面に被せられた状態で、前記端子を抜け止めする、
請求項１に記載の端子の保護部材。
【請求項３】
電線の端部に端子が接続された端子付き電線と、
前記端子を収容可能に形成される本体部と、
前記本体部に対して着脱可能に形成されるカバー部とを備え、
前記本体部は、
前記端子を主面上の溝に沿って配置可能に形成されるガイド部と、
前記ガイド部の前記主面に対する側面と連なって形成され、前記端子が収容されるキャビティが前記ガイド部の前記溝に連なって形成される筐体部とを備え、
前記カバー部は、前記端子の一部が前記キャビティに収容され、かつ、前記端子の他の部分が前記ガイド部の前記溝に沿って配置された状態で、前記ガイド部の前記主面に対して着脱可能に形成される、
保護部材付き配線部材。
【発明の詳細な説明】
【技術分野】
【０００１】
本技術は、端子の保護部材及び保護部材付き配線部材に関するものである。
【背景技術】
【０００２】
自動車などの車両用のワイヤーハーネスは、製造工程の効率化の観点から、搭載される車両によっては不要となる電線又は部品などを含む態様で車両へ搭載される場合がある。
【０００３】
このような搭載の態様は、車両におけるワイヤーハーネスの重量が不必要に増加してしまうため望ましくない。そこで、ワイヤーハーネスが搭載される車両によっては不要となる電線又は部品などを後から別途搭載する方法が提案されている。すなわち、ワイヤーハーネスが搭載される車両間で共通して必要となるワイヤーハーネス（共通ワイヤーハーネス）が車両に搭載された状態で、車両によって要不要が異なるワイヤーハーネス（オプションワイヤーハーネス）をさらに搭載する方法である。
【０００４】
上記の搭載方法では、オプションワイヤーハーネスが車両に搭載されるまでの間、オプションワイヤーハーネスにおける端子付き電線の端子が露出した状態となる。よって、当該端子が外力によって損傷するなどの要因で、オプションワイヤーハーネスが車両に搭載される際に、端子がコネクタなどに適切に挿入できなくなる場合がある。
【０００５】
このような事態を防止する手段として、端子がコネクタなどに挿入されるまでの間、当該端子を一時的に保護する端子の保持部品及びカバーが提案されている（例えば、特許文献１を参照）。
【先行技術文献】
【特許文献】
【０００６】
【特許文献１】特開２０１４−１３９９０７号公報
【発明の概要】
【発明が解決しようとする課題】
【０００７】
しかし、例えば、特許文献１に示されるような端子の保持部品及びカバーが用いられる場合、これらを端子付き電線の端子から取り外すためには、カバーと端子の保持部品とを固定するためのバンドを外し、さらにカバーを外した後に端子の保持部品を外すなどの作業が必要であった。よって、より容易に端子から取り外すことができる端子の保護部材が求められる。
【０００８】
本技術は、上記のような問題を解決するものであり、端子付き電線の端子を一時的に保護し、かつ、容易に取り外すことができる端子の保護部材及び保護部材付き配線部材に関するものである。
【課題を解決するための手段】
【０００９】
本技術の第１態様に関する端子の保護部材は、電線の端部に接続された端子の保護部材であり、前記端子を収容可能に形成される本体部と、前記本体部に対して着脱可能に形成されるカバー部とを備え、前記本体部は、前記端子を主面上の溝に沿って配置可能に形成されるガイド部と、前記ガイド部の前記主面に対する側面と連なって形成され、前記端子が収容されるキャビティが前記ガイド部の前記溝に連なって形成される筐体部とを備え、前記カバー部は、前記端子の一部が前記キャビティに収容され、かつ、前記端子の他の部分が前記ガイド部の前記溝に沿って配置された状態で、前記ガイド部の前記主面に対して着脱可能に形成される。
【００１０】
本技術の第２態様に関する端子の保護部材は、第１態様に関する端子の保護部材であって、前記カバー部は、前記ガイド部の前記主面に被せられる側の面において突起形状である抜け止め部を有し、前記抜け止め部は、前記カバー部が前記ガイド部の前記主面に被せられた状態で、前記端子を抜け止めする。
【００１１】
本技術の第３態様に関する保護部材付き配線部材は、電線の端部に端子が接続された端子付き電線と、前記端子を収容可能に形成される本体部と、前記本体部に対して着脱可能に形成されるカバー部とを備え、前記本体部は、前記端子を主面上の溝に沿って配置可能に形成されるガイド部と、前記ガイド部の前記主面に対する側面と連なって形成され、前記端子が収容されるキャビティが前記ガイド部の前記溝に連なって形成される筐体部とを備え、前記カバー部は、前記端子の一部が前記キャビティに収容され、かつ、前記端子の他の部分が前記ガイド部の前記溝に沿って配置された状態で、前記ガイド部の前記主面に対して着脱可能に形成される。
【発明の効果】
【００１２】
上記の端子の保護部材及び保護部材付き配線部材によれば、端子付き電線の端子を適切に保護することができる。また、容易に端子付き電線の端子から端子の保護部材を取り外すことができる。また、端子の一部がキャビティ内に収容されて仮止めされた状態でカバー部をつけることができるため、当該作業が容易となる。
【００１３】
特に、第２態様に関する端子の保護部材によれば、カバー部によって保護し、かつ、抜け止め部によって挿入方向において端子を抜け止めすることができる。よって、端子が意図せず端子の保護部材から抜け出てしまうことを抑制できる。
【００１４】
本技術の目的、特徴、局面及び利点は、以下の詳細な説明と添付図面とによって、より明白となる。
【図面の簡単な説明】
【００１５】
【図１】端子付き電線の構造を示す図である。
【図２】実施形態に関する端子の保護部材の構造を示す斜視図である。
【図３】実施形態に関する端子の保護部材の構造を示す斜視図である。
【図４】端子付き電線が収容された状態における、端子の保護部材の断面図である。
【図５】端子付き電線が配置され、かつ、カバー部がガイド部に被せられていない状態における、端子の保護部材の側面図である。
【図６】実施形態に関する端子の保護部材の作用を説明するための図である。
【図７】実施形態に関する端子の保護部材の作用を説明するための図である。
【図８】実施形態に関する端子の保護部材の作用を説明するための図である。
【図９】実施形態に関する端子の保護部材の作用を説明するための図である。
【図１０】実施形態に関する端子の保護部材の作用を説明するための図である。
【発明を実施するための形態】
【００１６】
以下、添付の図面を参照しながら実施形態について説明する。なお、図面は模式的に示されるものであり、異なる図面にそれぞれ示されている画像のサイズ及び位置の相互関係は、必ずしも正確に記載されるものではなく、適宜変更され得る。また、以下の説明では、同様の構成要素には同じ符号を付して図示し、それらの名称及び機能も同様のものとする。よって、それらについての詳細な説明を省略する場合がある。
【００１７】
また、以下の説明では、「上」、「下」、「側」又は「底」などの特定の位置及び方向を意味する用語が用いられる場合があるが、これらの用語は、実施形態の内容を理解することを容易にするため便宜上用いられているものであり、実際に実施される際の方向とは関係しない。
【００１８】
＜実施形態＞
＜構成＞
以下、本実施形態に関する端子の保護部材について説明する。説明の便宜上、まず、保護対象である端子付き電線について説明する。
【００１９】
図１は、端子付き電線の構造を示す図である。図１に示されるように、端子付き電線４は、電線４ａと、電線４ａの端部に接続された端子４ｂとを備える。
【００２０】
電線４ａは、銅又はアルミニウムなどの金属を主成分とする線材である芯線と、芯線の周囲を覆う絶縁被覆とを備える。絶縁被覆は、例えば、ポリエチレン、塩化ビニル又はポリアミド系ナイロンなどを主成分とする合成樹脂の部材である。
【００２１】
端子４ｂは、電線４ａの端部に接続される。端子４ｂは、例えば、銅又はスズなどの金属を主成分とする金属の部材である。端子４ｂと電線４ａとの接続方法としては、例えば、圧着又は溶接などがある。なお、端子４ｂは、凹部４１を有する。本実施形態においては、４本の端子４ｂが端子の保護部材に収容されているが、少なくとも１つの端子４ｂが端子の保護部材に収容されていればよい。
【００２２】
図２及び図３は、本実施形態に関する端子の保護部材の構造を示す斜視図である。
【００２３】
図２及び図３に示されるように、本実施形態に関する端子の保護部材は、端子の保護部材の本体部１と、端子の保護部材の本体部１に対して着脱可能に形成されるカバー部２とを備える。図２においては、本体部１からカバー部２が外された状態が示されており、図３においては、本体部１に対してカバー部２が被せられた状態が示されている。
【００２４】
本体部１は、合成樹脂などからなる。本体部１は、ガイド部１１と、ガイド部１１と連なって形成される筐体部１２とを備える。
【００２５】
ガイド部１１は、略板状の部材であり、主面上に端子付き電線４が配置される。ガイド部１１には、主面上に少なくとも１つの溝１１ａが形成される。溝１１ａは、ガイド部１１の端部から反対側の端部に亘って形成される。
【００２６】
溝１１ａは、溝１１ａに沿って主面上に配置される端子付き電線４の幅よりも広い幅を有して形成され、端子４ｂが筐体部１２に挿入される際のガイドとして機能する。本実施形態においては、溝１１ａは、挿入される端子付き電線４の数に合わせて４つ並列に形成されているが、例えば、挿入される端子付き電線４の数より多く形成されていてもよい。
【００２７】
また、ガイド部１１は、溝１１ａが延びる方向の端部とは異なる端部において、被ロック部１１ｂを備える。
【００２８】
筐体部１２は、ガイド部１１の主面に対する側面と連なって形成される。また、筐体部１２の、ガイド部１１と連なる側の側面には、ガイド部１１の主面と連なるキャビティ１２ａが形成される。キャビティ１２ａは、ガイド部１１の主面と連なる面において開口部を有し、筐体部１２内の一定深さの位置に底部を有する。キャビティ１２ａの深さ方向は、対応する溝１１ａの延びる方向と連続しており、溝１１ａに沿って挿入される端子付き電線４の端子４ｂは、そのまま滑らかに対応するキャビティ１２ａ内に収容される。なお、キャビティ１２ａは、ガイド部１１と連なる面からその反対側の面において貫通する場合であってもよい。
【００２９】
カバー部２は、合成樹脂などからなる。本実施形態に示されるカバー部２は、本体部１に対してヒンジ部３を介して接続されているが、このような場合に限られるものではない。すなわち、ヒンジ部３がなく、カバー部２が本体部１から完全に切り離され得る態様であってもよい。また、ヒンジ部３が設けられる場所についても、本実施形態に示される態様に限られるものではない。すなわち、溝１１ａが延びる方向の端部とは異なるガイド部１１の端部とカバー部２の側面とに亘って設けられる場合に限られず、溝１１ａが延びる方向の端部における溝１１ａが形成されていない部分とカバー部２の側面とに亘って設けられる場合であってもよく、また筐体部１２とカバー部２の側面とに亘って設けられる場合であってもよい。ただし、本実施形態に示されるようなヒンジ部３が設けられている場合、ヒンジ部３が、本体部１に対してカバー部２が被せられる際のガイドとして機能し、カバー部２を本体部１に対して適切に被せやすくなる。具体的には、ヒンジ部３が、溝１１ａが延びる方向の端部とは異なるガイド部１１の端部に設けられているため、カバー部２が本体部１に対して被せられる際に、カバー部２が、溝１１ａが延びる方向においてずれる幅を抑制することができる。
【００３０】
カバー部２は、本体部１のうちのガイド部１１の主面に被せられる。また、カバー部２は、カバー部２のガイド部１１の主面に被せられる側の面において、端子抜け止め部２１を備えてもよい。さらに、カバー部２は、カバー部２のガイド部１１の主面に被せられる側の面において、電線抜け止め部２２を備えてもよい。
【００３１】
また、カバー部２は、ヒンジ部３が設けられる側面とは反対側の側面において、ロック部２３を備える。ロック部２３は、カバー部２がガイド部１１の主面に被せられた状態で、ガイド部１１の被ロック部１１ｂと嵌め合わせられることで、カバー部２がガイド部１１の主面に被せられた状態でカバー部２を固定することができる。
【００３２】
図４は、端子付き電線４が収容された状態における、端子の保護部材の断面図である。図４は、端子付き電線４を側方から見た図となっている。
【００３３】
図４に示されるように、端子抜け止め部２１は、例えば、ガイド部１１の主面に被せられる側の面において形成された突起形状である。端子抜け止め部２１は、カバー部２がガイド部１１の主面に被せられることにより、筐体部１２にその一部が挿入された端子４ｂの、ガイド部１１の溝１１ａに沿って配置された他の部分に被せられる。図４に示される場合では、突起形状が、ガイド部１１の溝１１ａに沿って配置された部分の端子４ｂの凹部４１に嵌められる。このような構造であることで、端子の保護部材から抜け出る方向に端子付き電線４が動く場合にも、端子抜け止め部２１が端子４ｂの凹部４１に引っかかることによって、端子付き電線４が端子の保護部材から抜け出ることが抑制される。
【００３４】
なお、端子抜け止め部２１は、突起形状が端子４ｂの凹部４１に嵌められる場合に限られず、端子４ｂの他の部分に接触して端子４ｂに引っかかる場合であってもよい。さらには、カバー部２がガイド部１１の主面に被せられた状態では、必ずしも端子抜け止め部２１と端子４ｂとが接触していなくてもよく、端子の保護部材から抜け出る方向に端子付き電線４が動く際に端子抜け止め部２１と端子４ｂとが接触することによって、端子付き電線４が端子の保護部材から抜け出ることが抑制されればよい。
【００３５】
図４に示されるように、電線抜け止め部２２は、例えば、ガイド部１１の主面に被せられる側の面において形成された突起形状である。電線抜け止め部２２は、カバー部２がガイド部１１の主面に被せられることにより、筐体部１２に端子４ｂの一部が挿入された端子付き電線の、ガイド部１１の溝１１ａに沿って配置された部分の電線４ａに被せられる。図４に示される場合では、突起形状が、ガイド部１１の溝１１ａに沿って配置された部分の電線４ａに接触する。このような構造であることで、端子の保護部材から抜け出る方向に端子付き電線４が動く場合にも、電線抜け止め部２２と電線４ａとの接触による摩擦力、又は、電線抜け止め部２２が端子４ｂの電線４ａ側の端部に引っかかることによって、端子付き電線４が端子の保護部材から抜け出ることが抑制される。
【００３６】
なお、カバー部２がガイド部１１の主面に被せられた状態で、必ずしも電線抜け止め部２２と電線４ａとが接触していなくてもよく、端子の保護部材から抜け出る方向に端子付き電線４が動く際に電線抜け止め部２２と電線４ａ又は端子４ｂの電線４ａ側の端部とが接触することによって、端子付き電線４が端子の保護部材から抜け出ることが抑制されればよい。
【００３７】
図５は、端子付き電線４が配置され、かつ、カバー部２がガイド部１１に被せられていない状態における、端子の保護部材の側面図である。図５は、端子付き電線４の挿入方向から見た図となっている。
【００３８】
図５では、溝１１ａの断面形状は矩形状となっているが、このような形状に限られるものではなく、溝が深くなるにつれて溝の幅が狭くなるような三角形状であってもよいし、溝の底部が曲面形状であるような半円形状であってもよい。キャビティ１２ａの断面形状についても、図５に示されるような矩形状に限られるものではなく、三角形状であってもよいし、略円形状であってもよい。
【００３９】
＜作用＞
次に、図６から図１０を参照しつつ、本実施形態に関する端子の保護部材の作用を説明する。図６から図１０は、本実施形態に関する端子の保護部材の作用を説明するための図である。
【００４０】
まず、図６に示されるように、カバー部２が本体部１のガイド部１１から取り外された状態にする。
【００４１】
次に、図７に示されるように、筐体部１２における少なくとも１つのキャビティ１２ａに対し、端子付き電線４の端子４ｂが挿入される。このとき、端子４ｂをガイド部１１の溝１１ａに沿わせて挿入すれば、キャビティ１２ａへの端子４ｂの挿入作業が容易となる。挿入された端子４ｂは、少なくとも一部がキャビティ１２ａ内に収容され、一部が溝１１ａに沿って配置される。本実施形態では、このとき、端子４ｂにおける凹部４１がキャビティ１２ａの開口部の外に配置される。
【００４２】
この状態では、端子４ｂの一部がキャビティ１２ａ内に収容されているため、端子付き電線４が端子の保護部材に仮止めされた状態となる。よって、例えば端子付き電線４の数が多く、そのすべてをまとめて端子の保護部材に保持させようとする場合であっても、端子付き電線４を順番に配置する作業中にすでに配置された端子付き電線４が落ちる又は外れるなどすることが抑制され、当該作業が容易になる。
【００４３】
次に、図８に示されるように、カバー部２をガイド部１１の主面に被せ、端子抜け止め部２１を凹部４１に嵌める（前述の図４を参照）。また、電線抜け止め部２２を電線４ａに接触させる（前述の図４を参照）。そして、ロック部２３と被ロック部１１ｂとを嵌め合わせることで、カバー部２をガイド部１１に対して固定する。この状態で、端子の保護部材によって、端子４ｂを保持することによって端子４ｂを保護することができる。
【００４４】
次に、端子の保護部材を端子付き電線４から取り出す際には、まず、図９に示されるように、ロック部２３を被ロック部１１ｂから外し、カバー部２をガイド部１１の主面から取り外す。
【００４５】
次に、図１０に示されるように、キャビティ１２ａから端子付き電線４の端子４ｂを引き抜き、端子付き電線４の端子４ｂから端子の保護部材を取り外す。
【００４６】
上記のようにすることで、端子の保護部材によって端子付き電線４の端子４ｂを一時的に保護し、かつ、端子付き電線４の端子４ｂから端子の保護部材を容易に取り外すことができる。
【００４７】
＜効果＞
以下に、本実施形態による効果を例示する。
【００４８】
本実施形態によれば、端子の保護部材は、本体部１と、カバー部２とを備える。本体部１は、端子４ｂを収容可能に形成される。カバー部２は、本体部１に対して着脱可能に形成される。
【００４９】
本体部１は、ガイド部１１と、筐体部１２とを備える。ガイド部１１は、端子４ｂを主面上の溝１１ａに沿って配置可能に形成される。筐体部１２は、ガイド部１１の主面に対する側面と連なって形成される。また、筐体部１２には、端子４ｂが収容されるキャビティ１２ａがガイド部１１の溝１１ａに連なって形成される。
【００５０】
そして、カバー部２は、端子４ｂの一部がキャビティ１２ａに収容され、かつ、端子４ｂの他の部分がガイド部１１の溝１１ａに沿って配置された状態で、ガイド部１１の主面に対して着脱可能に形成される。
【００５１】
このような構成によれば、端子付き電線４の端子４ｂを適切に保護することができる。また、端子付き電線４の端子４ｂから端子の保護部材を取り外すために、例えば、カバーと端子の保持部品とを固定するためのバンドを外し、さらにカバーを外した後に端子の保持部品を外すなどの作業、又は、端子の保護部材を取り外すための専用の治具などを用いた作業の必要がなく、容易に端子付き電線４の端子４ｂから端子の保護部材を取り外すことができる。
【００５２】
また、端子４ｂの一部がキャビティ１２ａ内に収容され、端子付き電線４が端子の保護部材に仮止めされた状態となるため、例えば端子付き電線４の数が多く、そのすべてをまとめて端子の保護部材に保持させようとする場合であっても、端子付き電線４を順番に配置する作業中にすでに配置された端子付き電線４が落ちる又は外れるなどすることが抑制され、当該作業が容易となる。
【００５３】
また、端子４ｂがガイド部１１の溝１１ａに沿って挿入されることによって、キャビティ１２ａへの端子４ｂの挿入作業が容易となる。
【００５４】
また、キャビティ１２ａ内に収容される部分が端子４ｂの一部に限られているため、端子付き電線４の電線４ａ部分までキャビティ１２ａ内に収容されるような端子の保護部材を用いる場合よりも、端子の保護部材に端子４ｂを保持させる作業が容易である。
【００５５】
また、例えば専用の治具を差し込むための空間などを確保する必要がなく、小型化が可能である。
【００５６】
なお、これらの構成以外の構成については適宜省略することができるが、本明細書に示される任意の構成を適宜追加した場合でも、上記の効果を生じさせることができる。
【００５７】
また、本実施形態によれば、カバー部２は、抜け止め部としての端子抜け止め部２１又は電線抜け止め部２２を有する。端子抜け止め部２１及び電線抜け止め部２２は、ガイド部１１の主面に被せられる側の面において形成された突起形状である。
【００５８】
そして、端子抜け止め部２１及び電線抜け止め部２２は、カバー部２がガイド部１１の主面に被せられた状態で、端子４ｂを抜け止めする。
【００５９】
このような構成によれば、カバー部２によって保護し、かつ、端子抜け止め部２１又は電線抜け止め部２２によって挿入方向において端子４ｂを抜け止めすることができる。よって、端子４ｂが意図せず端子の保護部材から抜け出てしまうことを抑制できる。
【００６０】
また、本実施形態によれば、保護部材付き配線部材において、電線４ａの端部に端子４ｂが接続された端子付き電線４と、本体部１と、カバー部２とを備える。本体部１は、端子４ｂを収容可能に形成される。カバー部２は、本体部１に対して着脱可能に形成される。
【００６１】
本体部１は、ガイド部１１と、筐体部１２とを備える。ガイド部１１は、端子４ｂを主面上の溝１１ａに沿って配置可能に形成される。筐体部１２は、ガイド部１１の主面に対する側面と連なって形成される。また、筐体部１２には、端子４ｂが収容されるキャビティ１２ａがガイド部１１の溝１１ａに連なって形成される。
【００６２】
そして、カバー部２は、端子４ｂの一部がキャビティ１２ａに収容され、かつ、端子４ｂの他の部分がガイド部１１の溝１１ａに沿って配置された状態で、ガイド部１１の主面に対して着脱可能に形成される。
【００６３】
このような構成によれば、端子付き電線４の端子４ｂを適切に保護することができる。また、端子付き電線４の端子４ｂから端子の保護部材を取り外すために、例えば、カバーと端子の保持部品とを固定するためのバンドを外し、さらにカバーを外した後に端子の保持部品を外すなどの作業、又は、端子の保護部材を取り外すための専用の治具などを用いた作業の必要がなく、容易に端子付き電線４の端子４ｂから端子の保護部材を取り外すことができる。
【００６４】
また、端子４ｂの一部がキャビティ１２ａ内に収容され、端子付き電線４が端子の保護部材に仮止めされた状態となるため、例えば端子付き電線４の数が多く、そのすべてをまとめて端子の保護部材に保持させようとする場合であっても、端子付き電線４を順番に配置する作業中にすでに配置された端子付き電線４が落ちる又は外れるなどすることが抑制され、当該作業が容易となる。
【００６５】
＜変形例＞
上記実施形態に加えて、カバー部２のガイド部１１の主面に被せられる側の面において、ガイド部１１の主面における溝１１ａに対応する溝が形成されていてもよい。このような溝がカバー部２のガイド部１１の主面に被せられる側の面において形成されることにより、溝１１ａに沿って配置された端子付き電線４が溝１１ａ及びカバー部２側の溝によって挟み込まれ、より確実に固定される。
【００６６】
上記実施形態では、各構成要素の材質、材料、寸法、形状、相対的配置関係又は実施の条件などについても記載している場合があるが、これらはすべての局面において例示であって、本明細書に記載されたものに限られることはない。よって、例示されていない無数の変形例が、本技術の範囲内において想定される。例えば、任意の構成要素を変形する場合、追加する場合又は省略する場合が含まれる。
【００６７】
また、矛盾が生じない限り、上記実施形態において「１つ」備えられるものとして記載された構成要素は、「１つ以上」備えられていてもよい。さらに、各構成要素は概念的な単位であって、１つの構成要素が複数の構造物から成る場合及び１つの構成要素がある構造物の一部に対応する場合、さらには、複数の構成要素が１つの構造物に備えられる場合を含む。また、各構成要素には、同一の機能を発揮する限り、他の構造又は形状を有する構造物が含まれる。
【００６８】
また、本明細書における説明は、本技術のすべての目的のために参照され、いずれも、従来技術であると認めるものではない。
【符号の説明】
【００６９】
１  本体部
２  カバー部
３  ヒンジ部
４  端子付き電線
４ａ  電線
４ｂ  端子
１１  ガイド部
１１ａ  溝
１１ｂ  被ロック部
１２  筐体部
１２ａ  キャビティ
２１  端子抜け止め部
２２  電線抜け止め部
２３  ロック部
４１  凹部
【図１】
2016126870.tif 000003
【図２】
2016126870.tif 000004
【図３】
2016126870.tif 000005
【図４】
2016126870.tif 000006
【図５】
2016126870.tif 000007
【図６】
2016126870.tif 000008
【図７】
2016126870.tif 000009
【図８】
2016126870.tif 000010
【図９】
2016126870.tif 000011
【図１０】
2016126870.tif 000012